(57)【要約】      （修正有）【課題】多層式中空マッサージ補助具を提供する。【解決手段】多層式中空マッサージ補助具は、内部シェル２２と外部シェル１２を含む。外部シェル１２は内部シェル２２の外表面２２１を完全に覆い、且つ、溶融・ゲル化により成型される。これにより、内部シェル２２は溶融・ゲル化により外部シェル１２の内表面に直に成型されるため、多層式中空マッサージ補助具の構造の安定性が向上する。【選択図】図６
0003224853.tif 000002
【実用新案登録請求の範囲】
【請求項１】
内部シェル（２２）と、
当該内部シェル（２２）の外表面（２２１）を完全に覆い、且つ、溶融・ゲル化により成型される外部シェル（１２）、を含む多層式中空マッサージ補助具。
【請求項２】
当該外部シェル（１２）は、外周縁に沿って設けられる環状の継ぎ目（１２２）を有する請求項１に記載の多層式中空マッサージ補助具。
【請求項３】
当該外部シェル（１２）は軟質プラスチック製シェルであり、当該内部シェル（２２）は硬質プラスチック製シェルである請求項１に記載の多層式中空マッサージ補助具。
【請求項４】
当該内部シェル（２２）は硬質ポリ塩化ビニルからなり、当該外部シェル（１２）は軟質ポリ塩化ビニルからなる請求項３に記載の多層式中空マッサージ補助具。
【考案の詳細な説明】
【技術分野】
【０００１】
本考案はマッサージ用具に関し、特に、多層式中空マッサージ補助具に関する。
【背景技術】
【０００２】
現代人は、筋肉の凝りや筋膜の張りといった不快感を覚えると、マッサージボールを使って筋膜をマッサージしたり筋肉を叩いたりすることで、筋膜や筋肉を伸ばしたり緩めたりするとの効果を得る。マッサージボールがより快適に肌に密着するよう、マッサージボールの表面は、ＰＵ、ＰＥ、ＥＶＡ又は各種発泡材質の軟質プラスチック層で覆われている。
【０００３】
ところが、前記軟質プラスチック層の多くは、接着、係合又は緊締といった方式でマッサージボールの表面に固定される。しかし、接着方式の場合にはマッサージボールの軟質プラスチック層が剥がれやすく、係合又は緊締方式の場合にはマッサージボールの表面に硬い異物感が存在する。そこで、マッサージボールにおける軟質プラスチック層の構造の安定性を如何に高めるかが、本考案者による研究開発の要点である。
【０００４】
以上に鑑み、上記の従来技術について研究に勤しみ、学術理論を運用し、上述した課題を解決することが本考案者の開発目標となった。
【考案の概要】
【考案が解決しようとする課題】
【０００５】
本考案は、内部シェルを溶融・ゲル化により外部セルの内表面に直に成型し、構造の安定性を高めた多層式中空マッサージ補助具を提供する。
【課題を解決するための手段】
【０００６】
本考案は実施例において、内部シェルと、内部シェルの外表面を完全に覆い、且つ、溶融・ゲル化により成型される外部シェルを含む多層式中空マッサージ補助具を提供する。
【考案の効果】
【０００７】
上述したように、外部シェルと内部シェルとの接触面は、型開、揺動及び加熱作業により溶融・ゲル化して接続される。よって、従来のマッサージボールでは内層と外層を接着、係合又は緊締といった方式で接続していたのに対し、本考案における多層式中空マッサージ補助具の製造方法では、製造工程がより容易となり、構造が安定するとの利点を有する。
【図面の簡単な説明】
【０００８】
【図１】図１は、本考案の多層式中空マッサージ補助具の製造方法のステップを示すフローチャートである。
【図２】図２は、本考案において、第１プラスチックをキャビティに注入する場合を示す図である。
【図３】図３は、本考案において、金型につき１回目の揺動及び膨潤作業を行う場合を示す図である。
【図４】図４は、本考案において、第２プラスチックをキャビティに注入する場合を示す図である。
【図５】図５は、本考案において、金型につき２回目の揺動及び膨潤作業を行う場合を示す図である。
【図６】図６は、本考案において、金型に対し３回目の揺動及び溶融作業を行ったあと、冷却作業を行う場合を示す図である。
【図７】図７は、本考案の多層式中空マッサージ補助具の断面図である。
【図８】図８は、本考案において、第２プラスチックをキャビティに注入する他の実施例を示す図である。
【考案を実施するための形態】
【０００９】
本考案の詳細及び技術内容について、図面を組み合わせて以下の通り説明する。ただし、図面は説明のためのものにすぎず、本考案を限定するものではない。
【００１０】
図１〜図７を参照して、本考案は、多層式中空マッサージ補助具とその製造方法を提供する。当該多層式中空マッサージ補助具１０は、内部シェル２２と外部シェル１２を含む。
【００１１】
図１は、本考案の多層式中空マッサージ補助具の製造方法のステップを示す。まず、図１のステップａ及び図２に示すように、金型１００を提供する。金型１００の内部にはキャビティ１０３が備わっており、第１プラスチック１をキャビティ１０３に注入して金型１００を閉じる。本実施例の金型１００は、上型１０１と下型１０２を接合して構成される。第１プラスチック１は、ペースト状の軟質ポリ塩化ビニル（Ｐｏｌｙｖｉｎｙｌ  Ｃｈｌｏｒｉｄｅ，ＰＶＣ）とするが、これに限らない。
【００１２】
また、図１のステップｂ及び図３に示すように、揺動装置及び加熱装置を提供する。これにより、金型１００に対し１回目の揺動及び膨潤作業を行い、第１プラスチック１でキャビティ１０３の内壁１０４を完全に覆うとともに、膨潤により第１ゲル層１１を形成する。１回目の揺動及び膨潤作業では、ペースト状の軟質ポリ塩化ビニルを膨潤させてより濃密な第１ゲル層１１を形成すべく、加熱装置による金型１００の加熱温度を１３０〜１５０℃の間とする。且つ、揺動装置によって金型１００を上下、左右、前後に３６０°揺動させ、第１ゲル層１１でキャビティ１０３の内壁１０４の表面全体を均一に覆う。
【００１３】
次に、図１のステップｃ及び図４に示すように、金型１００の型開作業を行い、第２プラスチック２が第１ゲル層１１の内部に位置するよう、第２プラスチック２をキャビティ１０３に注入して金型１００を閉じる。本実施例の型開作業では、上型１０１と下型１０２を分離することで、第１ゲル層１１が上型１０１と下型１０２に付随して上ゲル層１１１と下ゲル層１１２に分解される。これにより、第２プラスチック２を第１ゲル層１１の内部に注入可能となる。なお、第２プラスチック２はペースト状の硬質ポリ塩化ビニル（Ｐｏｌｙｖｉｎｙｌ  Ｃｈｌｏｒｉｄｅ，ＰＶＣ）とするが、これに限らない。
【００１４】
また、図１のステップｄ及び図５に示すように、金型１００に対し２回目の揺動及び膨潤作業を行い、第２プラスチック２で第１ゲル層１１の内部を完全に覆うとともに、膨潤により第２ゲル層２１を形成する。２回目の揺動及び膨潤作業では、ペースト状の硬質ポリ塩化ビニルを膨潤させてより濃密な第２ゲル層２１を形成するよう、加熱装置による金型１００の加熱温度を１３０〜１５０℃の間とする。且つ、揺動装置により金型１００を上下、左右、前後に３６０°揺動させて、第２ゲル層２１で第１ゲル層１１内部の表面全体を均一に覆う。
【００１５】
最後に、図１のステップｅ、ｆ及び図５〜図６に示すように、ステップｅにおいて金型１００に対し３回目の揺動及び溶融作業を行う。これにより、第１ゲル層１１と第２ゲル層２１を溶融・ゲル化するとともに、第１ゲル層１１の内表面と第２ゲル層２１の外表面をゲル化により一体化する。また、ステップｆにおいて、第１ゲル層１１が凝固して外部シェル１２を形成し、第２ゲル層２１が凝固して内部シェル２２を形成するよう、金型１００に対し冷却作業を行う。内部シェル２２は、外部シェル１２の内表面１２１を完全に覆い、且つ、溶融・ゲル化により成型される。３回目の揺動及び溶融作業において、加熱装置による金型１００の加熱温度は１６５〜１８０℃の間とする。即ち、３回目の揺動及び溶融作業における加熱温度は、１回目の揺動及び膨潤作業と２回目の揺動及び膨潤作業における加熱温度よりも高い。これにより、第１ゲル層１１と第２ゲル層２１との接触面が互いに溶融・ゲル化して一体となる。そして、金型１００を一定時間だけ冷却すると、第１ゲル層１１が冷却により凝固して外部シェル１２となり、第２ゲル層２１が冷却により凝固して内部シェル２２となる。且つ、第１ゲル層１１と第２ゲル層２１との接触面が互いに溶融・ゲル化することで、内部シェル２２が外部シェル１２の内表面１２１の表面全体を均一に覆い、接続される。
【００１６】
また、図６〜図７に示すように、金型１００に対し解体作業を行うことで、多層式中空マッサージ補助具１０の完成品が得られる。本実施例の金型１００は上型１０１と下型１０２を接合して構成されるため、前記型開作業の際に、第１ゲル層１１は上型１０１と下型１０２に付随して上ゲル層１１１と下ゲル層１１２に分離する。そして、第２プラスチック２を第１ゲル層１１の内部に注入し、金型１００を閉じて２回目の揺動及び膨潤作業を行うと、外部シェル１２が自ずと内部シェル２２の外表面２２１を完全に覆うとともに、溶融・ゲル化により成型される。且つ、外部シェル１２は、外周縁に沿って設けられる環状の継ぎ目１２２を有する。この環状の継ぎ目１２２は、上ゲル層１１１と下ゲル層１１２を分離してから再び溶融・ゲル化により接続することで形成される。内部シェル２２は硬質ポリ塩化ビニルからなり、外部シェル１２は軟質ポリ塩化ビニルからなる。
【００１７】
第１プラスチック１は軟質プラスチックとし、軟質ポリ塩化ビニルに限らない。また、第２プラスチック２は硬質プラスチックとし、硬質ポリ塩化ビニルに限らない。そのため、外部シェル１２は軟質プラスチック製シェル、内部シェルは硬質プラスチック製シェルとなる。これにより、多層式中空マッサージ補助具１０は使用時に弾性を有し、いっそう快適に肌に密着可能となる。
【００１８】
また、多層式中空マッサージ補助具１０の形状は、円形、落花生型（８の字型）、ひょうたん型、楕円形、多角形など任意の幾何学形状としてもよく、本実施例に限らない。
【００１９】
図１〜図７に示すように、本考案の多層式中空マッサージ補助具の製造方法では、まず、第１プラスチック１をキャビティ１０３に注入し、１回目の揺動及び膨潤作業によって第１プラスチック１でキャビティ１０３の内壁１０４を完全に覆うとともに、膨潤により第１ゲル層１１を形成する。次に、型開作業を行い、第２プラスチック２を第１ゲル層１１の内部に注入する。そして、２回目の揺動及び膨潤作業を行い、第２プラスチック２で第１ゲル層１１の内部を完全に覆うとともに、膨潤により第２ゲル層２１を形成する。次に、金型１００に対し３回目の揺動及び溶融作業を行い、第１ゲル層１１と第２ゲル層２１を溶融・ゲル化するとともに、第１ゲル層１１の内表面と第２ゲル層２１の外表面を溶融・ゲル化により一体化する。最後に、第１ゲル層１１が凝固して外部シェル１２を形成し、第２ゲル層２１が凝固して内部シェル２２を形成するよう、金型１００に対し冷却作業を行う。内部シェル２２は、外部シェル１２の内表面１２１を完全に覆い、且つ、溶融により成型される。よって、従来のマッサージボールでは内層と外層を接着、係合又は緊締といった方式で接続していたのに対し、本考案における多層式中空マッサージ補助具の製造方法では、製造工程がより容易となり、構造が安定するとの利点を有する。
【００２０】
本考案において、第２プラスチック２をキャビティ１０３に注入する他の実施例を示す図８を参照する。図８の実施例と図２〜図７の実施例は、金型１００の構造において異なる。
【００２１】
詳述すると、本実施例の金型１００には、キャビティ１０３に連通する開閉式注入口１０５が設けられている。型開作業では開閉式注入口１０５を開通し、第２プラスチック２を開閉式注入口１０５から第１ゲル層１１の内部に注入する。これにより、図２〜図７の実施例と同様の機能及び効果が達せられる。
【００２２】
また、図２〜図７の実施例と比較して、本実施例における多層式中空マッサージ補助具１０の完成品の外部シェル１２は、外周縁に沿って設けられる環状の継ぎ目１２２を有さない。即ち、本実施例の金型１００で製造される外部シェル１２の表面は平坦であり、継ぎ目がない。
【００２３】
上述したように、本考案の多層式中空マッサージ補助具は、これ以前に同様の製品は存在せず、開示も使用もされていない。また、産業上の利用可能性、新規性及び進歩性を有し、出願要件を完全に満たしているため、特許法に基づき出願する。考案者の権利が保障されるよう、本願の審査と権利化を請求する。
【符号の説明】
【００２４】
１００  金型
１０１  上型
１０２  下型
１０３  キャビティ
１０４  内壁
１０５  開閉式注入口
１０    多層式中空マッサージ補助具
１      第１プラスチック
１１    第１ゲル層
１１１  上ゲル層
１１２  下ゲル層
１２    外部シェル
１２１  内表面
１２２  環状の継ぎ目
２      第２プラスチック
２１    第２ゲル層
２２    内部シェル
２２１  外表面
ａ〜ｆ  ステップ
【図１】
0003224853.tif 000003
【図２】
0003224853.tif 000004
【図３】
0003224853.tif 000005
【図４】
0003224853.tif 000006
【図５】
0003224853.tif 000007
【図６】
0003224853.tif 000008
【図７】
0003224853.tif 000009
【図８】
0003224853.tif 000010